(57)【要約】テーププリント装置であって、入力手段と、ディスプレイと、入力手段による入力に応じてディスプレイをコントロールするように構成したプロセッサにして、前記ディスプレイが、ユーザーのラベル作製を支援する文字情報を提供する第１エリヤと、ラベル上にプリントするべき画像を表示する第２エリヤとを持つようにコントロールされるテーププリント装置が提供される。
2010523367.tif 000002
【特許請求の範囲】
【請求項１】
テーププリント装置であって、
入力手段と、
ディスプレイと、
入力手段の受けた入力に応じてディスプレイをコントロールする構成としたプロセッサと、
を含み、
ディスプレイが、ユーザーのラベル作製を支援する文字情報を表示する第１エリヤと、ラベル上に印刷するべき画像を表示する第２エリヤとを有するようにコントロールされ、
前記文字情報が被印刷ラベルの形式設定情報を含むテーププリント装置。
【請求項２】
複数のモードが提供され、第１モードでは文字情報が、プリントするべきラベルのタイプを設定する情報を含み、第２モードでは前記文字情報が、テーププリント装置の運転状況を表示する情報を含む請求項１のテーププリント装置。
【請求項３】
プロセッサが、テーププリント装置の動作状況を決定するように構成される請求項２のテーププリント装置。
【請求項４】
テーププリント装置の動作状況が、印刷及びカッティングの何れかを含む請求項２又は３のテーププリント装置。
【請求項５】
ラベルのタイプが以下のラベルタイプの１つ以上、即ち、垂直ラップラベル、フラグラベル、パッチパネルラベル、固定長さラベル、モジュールラベル、ターミナルブロックラベル、水平ラップラベル及び垂直モードラベル、から選択される請求項１〜４の何れかのテーププリント装置。
【請求項６】
第１エリヤが、ユーザーがラベルのタイプのための入力手段を介して選択した１つ以上のパラメータの値を追加表示するように構成される請求項１〜５の何れかのテーププリント装置。
【請求項７】
第１エリヤが第２エリヤの上方に配置される請求項１〜６の何れかのテーププリント装置。
【請求項８】
プロセッサが、エラー状況の数を判定し、第１エリヤに文字情報としての警告表示を表示するようにディスプレイをコントロールする構成とされる請求項１〜７の何れかのテーププリント装置。
【請求項９】
プロセッサが、ディスプレイの第１部分に表示された情報に基づき、文字情報としての説明情報を表示させるようにディスプレイの第２部分をコントロールする構成とされる請求項１〜８の何れかのテーププリント装置。
【請求項１０】
プロセッサが、第１エリヤに表示された情報に基づき、ユーザーへの指令を含む指示情報を表示するようにディスプレイの第２部分をコントロールする構成とされる請求項１〜９の何れかのテーププリント装置。
【請求項１１】
プロセッサが、ユーザーがオプションのリストを選択したことを判定し、各オプションの説明に係わる文字情報を第１エリヤに提供し、ディスプレイの第２エリヤにはオプションのリストの少なくとも一部を表示させるように構成される請求項１〜１０の何れかのテーププリント装置。
【請求項１２】
プロセッサが、文字及びラベル属性情報の少なくとも一方を表示する第３エリヤを持つようにディスプレイをコントロールする構成とされる請求項１〜１１の何れかのテーププリント装置。
【請求項１３】
プロセッサが、エラー状況の数を判定し、エラー状況の数の判定に応じた警告情報を表示する第３エリヤを持つようにディスプレイをコントロールするように構成される請求項１〜１２の何れかのテーププリント装置。
【請求項１４】
警告情報が警告記号を含む請求項１３のテーププリント装置。
【請求項１５】
警告情報が、判定されたエラー状況の数を表示する数字を含む請求項１３又は１４のテーププリント装置。
【請求項１６】
プロセッサが、ラベル及び又はラベル部分の数を決定し、当該ラベル及び又はラベル部分の位置を決定し、決定した数及び位置を表示する第３エリアを持つようにディスプレイをコントロールする構成とされる請求項１〜１５の何れかのテーププリント装置。
【請求項１７】
入力手段がキーボードを含む請求項１〜１６の何れかのテーププリント装置。
【請求項１８】
第１エリヤが表示されるモードと、第１エリヤが表示されないモードとを含む請求項１〜１７の何れかのテーププリント装置。
【請求項１９】
第１エリヤが表示されるモード及び又は第１エリヤが表示されないモードが入力手段を介して選択される請求項１８のテーププリント装置。
【請求項２０】
プロセッサが、第１エリヤが表示されないモードでは、該プロセッサが所定の状況を検出した場合に文字情報を前記第１エリヤに表示する構成とされる請求項１８又は１９のテーププリント装置。
【請求項２１】
所定の状況がエラー状況の数又は警告状況を含む請求項２０のテーププリント装置。
【請求項２２】
テーププリント装置であって、
入力手段と、
ディスプレイと、
入力手段の受けた入力に応じてディスプレイをコントロールする構成としたプロセッサと、
を含み、
入力手段が、ユーザーが所定長さのラベルを設定し得るように構成され、
プロセッサが、画像が前記所定長さに収受され得るかを判断すると共に、所定長さ部分に収受され得ない画像部分を当該所定長さ部分に収受され得る画像部分とは別の方法でディスプレイに表示させるテーププリント装置。
【請求項２３】
テーププリント装置であって、
複数のエリヤを持つラベル用のデータを入力する入力手段と、
ラベルを印刷するように構成した印刷構成部分と、
当該印刷構成部分をして、前記複数のエリヤに係わるデータを持つ第１ラベルの少なくとも１つを第１のオーダーで印刷せしめ、前記複数のエリヤに係わるデータを持つ第２のラベルを第１のオーダーとは逆のオーダーで印刷せしめるように構成されるプロセッサと、
を含むテーププリント装置。
【請求項２４】
テーププリント装置であって、
入力手段と、
ディスプレイと、
入力手段の受けた入力に応じてディスプレイをコントロールするように構成したプロセッサと、
を含み、
ディスプレイが、ユーザーのラベル作製を支援する文字情報を表示する第１エリヤと、テーププリント装置のユーザーのための少なくとも１つの指示、前記文字情報の説明、当該文字情報に対するオプション、を表示する第２エリヤとを有するようにコントロールされるテーププリント装置。
【請求項２５】
テーププリント装置であって、
ディスプレイと、
プロセッサと、
を含み、
プロセッサが、ラベル及び又はラベル部分の数を決定し、ラベル及び又はラベル部分における位置を決定し、決定した数及び位置をディスプレイに表示させるようにディスプレイをコントロールする構成としたテーププリント装置。
【請求項２６】
決定した位置が、カーソルの決定された位置を含む請求項２５のテーププリント装置。
【請求項２７】
テーププリント装置であって、
ディスプレイと、
プロセッサと、
を含み、
該プロセッサが、エラー状況の数を決定し、決定したエラー状況の数をディスプレイに表示させるようにディスプレイをコントロールするように構成されるテーププリント装置。
【請求項２８】
テーププリント装置であって、
ディスプレイと、
プロセッサと、
を含み、
プロセッサが、第１のラベルの少なくとも一部分と、第２のラベルの少なくとも一部分とを表示するように構成され、印刷に際して前記第１及び第２の各ラベルがテープに対して垂直に配向され、前記プロセッサが、間に仕切を入れた状態で一方のラベルを他方のラベルの上方に表示させるようにディスプレイをコントロールするテーププリント装置。
【請求項２９】
プロセッサが、ディスプレイを水平方向に横断する方向で仕切を表示させるようにディスプレイをコントロールする請求項２８のテーププリント装置。
【請求項３０】
仕切がハッチングラインを含む請求項２８又は２９のテーププリント装置。
【請求項３１】
プロセッサが、該プロセッサが第３のラベルの少なくとも一部分及び第４のラベルの少なくとも一部分を表示させるようにディスプレイをコントロールする構成とされ、前記第３及び第４の各ラベルがテープに関して水平方向に配向され、プロセッサが、第３のラベルを第４のラベルに隣り合い且つ当該第３及び第４の各ラベルの間部分に仕切が配置される状態下に表示されるように構成される請求項２８〜３０の何れかのテーププリント装置。
【請求項３２】
第２のモードにおいて、仕切がディスプレイを垂直方向に横断する方向に伸延される請求項３１のテーププリント装置。
【請求項３３】
テーププリント装置であって、
入力手段と、
ディスプレイと、
プロセッサと、
を含み、
プロセッサが、入力手段の受けた入力に応じてディスプレイをコントロールするように構成され、ディスプレイが、ユーザーのラベル作製を支援する文字情報を表示する第１エリヤと、ラベル上に印刷するべき画像を表示する第２エリヤとを持つようにコントロールされるテーププリント装置。
【請求項３４】
入力を受けること、
受けた入力に応じてディスプレイを、ユーザーのラベル作製を支援する文字情報を表示する第１エリヤと、ラベルに印刷するべき画像を表示する第２エリアとを持つようにコントロールすること、
を含み、
前記文字情報が、ラベルに印刷する画像の形式設定情報を含む方法。
【請求項３５】
文字情報が、被印刷ラベルのタイプの設定情報を含む第１のモードと、文字情報がテーププリント装置の動作状況を表示する情報を含む第２のモードを提供する請求項３４の方法。
【請求項３６】
テーププリント装置の動作状況を判定することを含む請求項３５の方法。
【請求項３７】
テーププリント装置の動作状況が印刷及びカッティングの何れかである請求項３５又は３６の方法。
【請求項３８】
垂直ラップラベル、フラグラベル、パッチパネルラベル、固定長さラベル、モジュールラベル、ターミナルブロックラベル、水平ラップラベル、垂直モードラベル、の１つ以上からラベルのタイプを選択することを含む請求項３４〜３７の何れかの方法。
【請求項３９】
ラベルのタイプのための入力手段を介してユーザーが選択した１つ以上のパラメータの値を第１エリヤに表示させることを含む請求項３４〜３８の何れかの方法。
【請求項４０】
第１エリヤを第２エリヤの上方に表示させるようにディスプレイをコントロールすることを含む請求項３４〜３９の何れかの方法。
【請求項４１】
エラー状況の数を判定し、文字情報としての警告表示が第１エリヤに表示されるようにディスプレイをコントロールすることを含む請求項３４〜４０の何れかの方法。
【請求項４２】
ディスプレイの第１部分に文字情報として表示された情報に基づく説明情報が表示されるようにディスプレイの第２部分をコントロールすることを含む請求項３４〜４１の何れかの方法。
【請求項４３】
ディスプレイの第２部分を、ユーザーのための情報を含む指示情報がディスプレイの第１エリヤに表示される情報に依存して表示されるようにコントロールすることを含む請求項３４〜４２の何れかの方法。
【請求項４４】
ユーザーがオプションのリストを選択したことを判定し、オプションの記述に関連する文字情報を第１エリヤに提供し、ディスプレイの第２エリヤにはオプションのリストの少なくとも一部を表示させることを含む請求項３４〜４３の何れかの方法。
【請求項４５】
ディスプレイが第３エリヤにして、文字及びラベル属性情報の少なくとも一方を表示する第３エリヤを持つようにディスプレイをコントロールすることを含む請求項３４〜４４の何れかの方法。
【請求項４６】
エラー状況の数を判定し、エラー状況の数の判定に依存して警告情報を表示する第３エリヤを持つようにディスプレイをコントロールすることを含む請求項３４〜４５の何れかの方法。
【請求項４７】
警告情報が警告記号を含む請求項４６の方法。
【請求項４８】
警告情報が、判定したエラー状況の数を表示する数字を含む請求項４６又は４７の方法。
【請求項４９】
ラベル及び又はラベル部分の数を決定すること、及び外ラベル及び又はラベル部分の位置を決定すること、及び、決定した数及び位置を表示する第３エリヤを持つようにディスプレイをコントロールすること、を含む請求項３４〜４８の何れかの方法。
【請求項５０】
ディスプレイの第１エリヤが表示されるモードと、第１エリヤが表示されないモードと、を含む請求項３４〜４９の何れかの方法。
【請求項５１】
ディスプレイの第１エリヤが表示されるモード及び又は第１エリヤが表示されないモードが入力手段を介して選択される請求項５０の方法。
【請求項５２】
第１エリヤが表示されないモードにおいて、所定状況が検出された場合に該第１エリヤに文字情報を表示させる請求項５０又は５１の方法。
【請求項５３】
所定状況がエラー状況の数又は警告状況を含む請求項５２の方法。
【請求項５４】
所定長さを有するラベルを設定する入力を受けること、
所定長さに画像が収受され得るかを判定すること、
ディスプレイをして、所定長さ部分に収受され得ない画像部分を当該所定長さ部分に収受され得る画像部分とは別の方法で表示せしめること、
を含む方法。
【請求項５５】
複数のエリヤを持つラベルに対するデータを受けること、
印刷構成部分をして、前記複数のエリアに関するデータを持つ第１のラベルの少なくとも１つを第１のオーダーで印刷せしめ、前記複数のエリアに係わるデータを持つ第２のラベルを第１のオーダーとは逆のオーダーで印刷せしめること、
を含む方法。
【請求項５６】
入力を受けること、
受けた入力に応じて、ユーザーのラベル作製を支援する文字情報を表示する第１エリヤと、テーププリント装置のユーザーのための少なくとも１つの指示、前記文字情報の説明及び当該文字情報に対するオプション、を表示する第２エリヤと、を持つようにディスプレーをコントロールすること、を含む方法。
【請求項５７】
ラベル及び又はラベル部分の数、及び、当該ラベル及び又はラベル部分の位置、を決定すること、
当該決定された数及び位置を表示させるようにディスプレイをコントロールすること、
を含む方法。
【請求項５８】
ラベル及び又はラベル部分の位置を決定することが、カーソルの位置を決定することを含む請求項５７の方法。
【請求項５９】
テーププリント装置におけるエラー状況の数を決定すること、
決定したエラー状況の数をディスプレイに表示させるようにディスプレイをコントロールすること、
を含む方法。
【請求項６０】
第１のラベルの少なくとも一部分と、第２のラベルの少なくとも一部分とを表示させるようにディスプレイをコントロールすること、
を含み、
印刷に際して第１のラベル及び第２のラベルがテープに対して垂直に配向され、間に仕切を入れた状態で一方のラベルを他方のラベルの上方に表示させるようにディスプレイをコントロールすることを含む方法。
【請求項６１】
仕切がディスプレイを水平方向に横断するように表示されるようにディスプレイをコントロールすることを含む請求項６０の方法。
【請求項６２】
仕切がハッチングラインを含む請求項６０又は６１の方法。
【請求項６３】
作動上の第２のモードを含み、当該第２のモードにおいて、ディスプレイが、第３のラベルの少なくとも一部分と、第４のラベルの少なくとも一部分とを表示するようにコントロールされ、第３及び第４の各ラベルがテープに関して水平方向に配向され、該方法が、第３のラベルを第４のラベルに隣り合い且つそれらの間部分に仕切が配置される状態で表示されるようにディスプレイをコントロールすることを含む請求項第６０〜６２の何れかの方法。
【請求項６４】
第２のモードにおいて、仕切がディスプレイの垂直方向を横断する方向に伸延される請求項６３の方法。
【請求項６５】
入力を受けること、
入力手段の受けた入力に応じてディスプレイをコントロールすること、
ディスプレイを、ユーザーのラベル作製を支援する文字情報を表示する第１エリヤと、ラベル上に印刷するべき画像を表示する第２エリヤとを持つようにコントロールすること、を含む方法。
【請求項６６】
テーププリント装置であって、
ラベルの少なくとも一部分を表示するようにディスプレイをコントロールすることを含み、表示するべきラベル部分が１つ以上のエッジ領域に隣接する場合は前記ディスプレイを、前記１つ以上のエッジ領域を表示するインジケータが表示されるようにコントロールするようにしたテーププリント装置。
【請求項６７】
インジケータがラインを含む請求項６６のテーププリント装置。
【請求項６８】
ラインがピクセル幅のものである請求項６７のテーププリント装置。
【請求項６９】
１つ以上のエッジ部分が、ラベルの始端、終端、上縁、底縁、の１つ以上を含む請求項６６〜６８の何れかのテーププリント装置。
【請求項７０】
表示されるべきラベル部分が、カーソルの位置に依存して決定される請求項６６〜６９の何れかのテーププリント装置。
【請求項７１】
ラベルの少なくとも一部分を表示するようにディスプレイをコントロールすることを含み、
表示するべきラベル部分が１つ以上のエッジ領域に隣接する場合は前記ディスプレイを、前記１つ以上のエッジ領域を表示するインジケータが表示されるようにコントロールすること、
を含む方法。
【請求項７２】
インジケータがラインを含む請求項７１の方法。
【請求項７３】
ラインがピクセル幅のものである請求項７２の方法。
【請求項７４】
１つ以上のエッジ部分が、ラベルの始端、終端、上縁、底縁、の１つ以上を含む請求項７１〜７３の何れかの方法。
【請求項７５】
表示されるべきラベル部分がカーソルの位置に依存して決定される請求項７１〜７４の何れかの方法。
【請求項７６】
請求項３４〜６５又は７１〜７５の何れかに記載の各ステップの１つ以上を実行するように構成したコンピュータープログラム。
【請求項７７】
請求項３４〜６５又は７１〜７５の何れかに記載の各ステップの１つ以上を実行するように構成したコンピュータープログラムを含むコンピュータープログラム製品。
【発明の詳細な説明】
【技術分野】
【０００１】
本発明はテーププリント装置に関する。
【背景技術】
【０００２】
テーププリント装置（以下、ラベルプリント装置、ラベルプリンタ、プリンタ、プリント装置、等とも称する）は例えば、ブラザー工業株式会社のＥＰＡ３２２９１８号や、ＶａｒｉｔｒｏｎｉｃｓのＥＰＡ２６７８９０号に開示される如く既知のものである。既知のテーププリント装置には、カセット又はテープ保持ケース用のベイを受けるカセットが含まれる。ＥＰＡ２６７８９０号のものでは、テープ保持ケースがインクリボンと基材テープとを収納し、基材テープが裏当て層に接着材で固定した上方受像層を含む。ＥＰＡ３２２９１８号のものではテープ保持ケースは、インクリボンと、透明な受像テープと、両面接着テープとを収納し、両面接着テープは、接着材を塗布したその片面が印刷後の受像テープに固着され、接着剤を塗布した他面側から剥ぎ取れる裏当て層を有している。こうしたテーププリント装置では、転像媒体（インクリボン）及び受像テープ（基材）が同じカセット内に収納される。
【０００３】
例えばＥＰＡ５７８３７２号には、インクリボンと基材テープとを別のカセットに収納することが提案されている。
これら全ての事例では、受像テープをインクリボンと重ねた状態でプリントヘッド及びプラテンとよりなる印刷ゾーンに送り、これらプリントヘッド及びプラテンが協動してインクリボンの画像を受像テープに転写させる。画像転写には、ドライレタリング又はドライフィルムインプレッションを含む様々な方法があるが、現在最も一般的なのはプリントヘッドを加熱し、その熱でインクリボンのインクを受像テープに転写させる感熱印刷法である。
【０００４】
インクリボンを省略し、プリントヘッドを加熱して被印刷画像を受像テープに直接印刷する方法も知られている。この方法は直接感熱印刷法と称される。
既知のラベルプリンターにはディスプレイが付属している。一般に、属性インジケーターをスクリーンの片側又はスクリーンの縁部沿いに配置して種々のモードを表示させることが知られている。例えば、インジケータは文字体が通常、太字又はイタリック体であることを表示し得る。フレームモードその他を表示させることもできる。しかし、様々な運転モードを持つテーププリント装置では、例え属性エリヤが設けられてはいてもその表示は小さくしかも様々な属性が含まれる傾向があるためユーザーは容易にはモードを決定できない。
既知のラベルテーププリント装置には、ラベル長さが決まっている場合はユーザーが文字を追加できない又はユーザーがプリントキーを押すとエラーメッセージのみが表示されるというものもある。これはユーザーにとっていらだたしいものである。
【先行技術文献】
【特許文献】
【０００５】
【特許文献１】ＥＰＡ３２２９１８号
【特許文献２】ＥＰＡ２６７８９０号
【特許文献３】ＥＰＡ５７８３７２号
【発明の概要】
【発明が解決しようとする課題】
【０００６】
上述した従来技術の欠点のないテーププリント装置及び方法を提供することである。
【課題を解決するための手段】
【０００７】
本発明の１様相によれば、テーププリント装置であって、入力手段と、ディスプレイと、入力手段の受けた入力に応じてディスプレイをコントロールする構成としたプロセッサと、を含み、ディスプレイが、ユーザーのラベル作製を支援する文字情報を表示する第１エリヤと、ラベル上に印刷するべき画像を表示する第２エリヤとを有するようにコントロールされ、前記文字情報が被印刷ラベルの形式設定情報を含むテーププリント装置が提供される。
【０００８】
本発明の他の様相によれば、テーププリント装置であって、入力手段と、ディスプレイと、入力手段の受けた入力に応じてディスプレイをコントロールする構成としたプロセッサと、を含み、入力手段が、ユーザーが所定長さのラベルを設定できるように構成され、プロセッサが、画像がそうした所定長さに収受され得るかを判断すると共に、所定長さ部分に収受され得ない画像部分を当該所定長さ部分に収受され得る画像部分とは別の方法でディスプレイに表示させるテーププリント装置が提供される。
【０００９】
本発明の更に他の様相によれば、テーププリント装置であって、複数のエリヤを持つラベル用のデータを入力する入力手段と、ラベルを印刷するように構成した印刷構成部分と、当該印刷構成部分をして、前記複数のエリヤに係わるデータを持つ第１ラベルの少なくとも１つを第１のオーダーで印刷せしめ、前記複数のエリヤに係わるデータを持つ第２のラベルを第１のオーダーとは逆のオーダーで印刷せしめるように構成されるプロセッサと、を含むテーププリント装置が提供される。
【００１０】
本発明の他の様相によれば、テーププリント装置であって、入力手段と、ディスプレイと、入力手段の受けた入力に応じてディスプレイをコントロールするように構成したプロセッサと、を含み、ディスプレイが、ユーザーのラベル作製を支援する文字情報を表示する第１エリヤと、テーププリント装置のユーザーのための少なくとも１つの指示、前記文字情報の説明、当該文字情報に対するオプション、を表示する第２エリヤとを有するようにコントロールされるテーププリント装置が提供される。
【００１１】
本発明の更に他の様相によれば、テーププリント装置であって、ディスプレイと、プロセッサとを含み、プロセッサが、ラベル及び又はラベル部分の数を決定し、ラベル及び又はラベル部分における位置を決定し、決定した数及び位置をディスプレイに表示させるようにコントロールする構成としたテーププリント装置が提供される。
本発明の他の様相によれば、テーププリント装置であって、ディスプレイと、プロセッサとを含み、該プロセッサが、エラー状況の数を決定し、決定したエラー状況の数をディスプレイに表示させるようにコントロールする構成としたテーププリント装置が提供される。
【００１２】
本発明の他の様相によれば、テーププリント装置であって、ディスプレイと、プロセッサとを含み、プロセッサが、第１のラベルの少なくとも一部分と、第２のラベルの少なくとも一部分とを表示するように構成され、印刷に際して前記第１及び第２の各ラベルがテープに対して垂直に配向され、前記プロセッサが、間に仕切を入れた状態で一方のラベルを他方のラベルの上方に表示させるようにディスプレイをコントロールするテーププリント装置が提供される。
【００１３】
本発明の他の様相によれば、テーププリント装置であって、入力手段と、ディスプレイと、プロセッサとを含み、プロセッサが、入力手段の受けた入力に応じてディスプレイをコントロールするように構成され、ディスプレイが、ユーザーのラベル作製を支援する文字情報を表示する第１エリヤと、ラベル上に印刷するべき画像を表示する第２エリヤとを持つようにコントロールされるテーププリント装置が提供される。
【００１４】
本発明の他の様相によれば、入力を受けること、受けた入力に応じてディスプレイを、ユーザーのラベル作製を支援する文字情報を表示する第１エリヤと、ラベルに印刷するべき画像を表示する第２エリヤとを持つようにコントロールすること、を含み、前記文字情報が、ラベルに印刷する画像の形式設定情報を含む方法が提供される。
【００１５】
本発明の他の様相によれば、所定長さを持つラベルを設定する入力を受けること、画像が前記所定長さ部分内に収受され得るかを判断すること、前記所定長さ部分内に収受され得ない画像部分を、当該所定長さ部分内に収受され得る画像部分とは別の方法でディスプレイに表示させること、を含む方法が提供される。
【００１６】
本発明の他の様相によれば、複数のエリヤを持つラベルに対するデータを受けること、印刷構成部分をして、前記複数のエリヤに関するデータを持つ第１のラベルの少なくとも１つを第１のオーダーで印刷せしめ、前記複数のエリヤに係わるデータを持つ第２のラベルを第１のオーダーとは逆のオーダーで印刷させしめること、を含む方法が提供される。
【００１７】
本発明の他の様相によれば、入力を受けること、受けた入力に応じて、ユーザーのラベル作製を支援する文字情報を表示する第１エリヤと、テーププリント装置のユーザーのための少なくとも１つの指示、前記文字情報の説明、当該文字情報に対するオプション、を表示する第２エリヤと、を持つようにするようにディスプレイをコントロールすること、を含む方法が提供される。
【００１８】
本発明の他の様相によれば、ラベル及び又はラベル部分の数、及び、当該ラベル及び又はラベル部分の位置、を決定すること、当該決定された数及び位置を表示させるようにディスプレイをコントロールすること、を含む方法が提供される。
本発明の他の様相によれば、テーププリント装置におけるエラー状況の数を決定すること、決定したエラー状況の数をディスプレイに表示させるようにディスプレイをコントロールすること、を含む方法が提供される。
【００１９】
本発明の他の様相によれば、第１のラベルの少なくとも一部分と、第２のラベルの少なくとも一部分とを表示させるようにディスプレイをコントロールすること、を含み、印刷に際して第１のラベル及び第２のラベルがテープに対して垂直に配向され、間に仕切を入れた状態で一方のラベルを他方のラベルの上方に表示させるようにディスプレイをコントロールすることを含む方法が提供される。
【００２０】
本発明の他の様相によれば、入力を受けること、入力手段の受けた入力に応じてディスプレイをコントロールすること、ディスプレイを、ユーザーのラベル作製を支援する文字情報を表示する第１エリヤと、ラベル上に印刷するべき画像を表示する第２エリヤとを持つようにコントロールすること、を含む方法が提供される。
本発明の他の様相によれば、ラベルの少なくとも一部分を表示するようにディスプレイをコントロールすることを含み、表示するべきラベル部分が１つ以上のエッジ領域に隣接する場合は前記ディスプレイを、前記１つ以上のエッジ領域を表示するインジケータを表示するようにコントロールすること、を含む方法が提供される。
【００２１】
本発明の他の様相によれば、テーププリント装置であって、入力手段と、ディスプレイと、プロセッサと、を含み、該プロセッサが、ラベルの少なくとも一部分を表示するようにディスプレイをコントロールし、前記ラベル部分が１つ以上のエッジ領域に隣接する場合は前記１つ以上のエッジ領域を表示するようにディスプレイをコントロールするテーププリント装置が提供される。
【発明の効果】
【００２２】
上述した従来問題のないテーププリント装置及び方法が提供される。
【図面の簡単な説明】
【００２３】
【図１】図１は、本発明のテーププリント装置の斜視図である。
【図２】図２は、本発明のテーププリント装置の制御回路図である。
【図３】図３は、図１のテーププリント装置のカセット受けベイ内のカセットを示す概略図である。
【図４】図４は、パッチパネルモードにおける、図１のテーププリント装置のディスプレイ表示画像図である。
【図５】図５は、パッチパネルモードで印刷した第１及び第２の各ラベルの平面図である。
【図６】図６は、図１のテーププリント装置の記号キーを操作した場合のディスプレイ表示画面図である。
【図７】図７は、所定の記号グループを選択した場合のディスプレイ表示画面図である。
【図８】図８は、警告のディスプレイ表示画面図である。
【図９】図９は、バーコードメニューのディスプレイ表示画面図である。
【図１０】図１０は、バーコードモードのディスプレイ表示画面図である。
【図１１】図１１は、印刷中のメッセージのディスプレイ表示画面図である。
【図１２】図１２は、ユーザーがフラグモードである場合のディスプレイ表示画面図である。
【図１３】図１３は、文字サイズ選択時のディスプレイ表示画面図である。
【図１４】図１４は、固定長さモード時のディスプレイ表示画面図である。
【図１５】図１５は、複数のラインを入力した状態における全体編集モードのディスプレイ表示画面図である。
【図１６】図１６は、特定エリヤに収受しきれない文字を入力した状態におけるパッチパネルモードのディスプレイ表示画面図である。
【図１７】図１７は、ディスプレイの属性エリヤの詳細を示すディスプレイ表示画面図である。
【図１８】図１８は、シリアル化モード時のディスプレイ表示画面図である。
【図１９】図１９は、ラベル一本を示す垂直モード時のディスプレイ表示画面図である。
【図２０】図２０は、２本のラベルを離間して表示する場合のディスプレイ表示画面図である。
【図２１】図２１は、シリアル化モード時のラベル形成状態の例示図である。
【図２２】図２２は、垂直モード時のラベル形成状態の例示図である。
【図２３ａ】図２３ａは、同じラベルの異なる２つの部分を表示する場合のディスプレイ表示画面図である。
【図２３ｂ】図２３ｂは、同じラベルの異なる２つの部分を表示する場合のディスプレイ表示画面図である。
【発明を実施するための形態】
【００２４】
図１にはテーププリント装置２の斜視図が示される。テーププリント装置はディスプレイ４を有する。本発明の好ましい実施例ではディスプレイ４は液晶ディスプレイである。テーププリント装置はキーボード６を有し、キーボード６は複数（本実施例の場合４）のカーソルコントロールキー８を有し、文字選択用の複数のキー１０及び数選択用の複数のキー１２も備えられる。キーボード６は２セットの機能キー１４をも有する。配置するキーの数やこれらのキーにより提供される機能はプリンターの用途により変化され得る。例えば、ある実施例では数選択用の各キーを省略し、代わりに文字キーで数字キーにアクセスできる。各文字に対して１つのキーを割り当てないようにしても良く、あるいは、例えばシフトキーを使用して各機能にアクセスするようにもできる。
【００２５】
従って、ユーザーはキーボード６を介して文字を含む画像、数及び又は記号を入力できる。機能キーを使用してラベルの属性を選択できる。従って、機能キー１４を使用して異なる機能を開始させ得、テーププリント装置の動作モードをコントロールできる。
本発明の１実施例において、キーボードはタッチパッド、タッチスクリーン、又は任意のその他入力手段により代替させ得る。
【００２６】
図３を参照するに、カセット受けベイが点線３０で示される。カセット受けベイ３０はサーマルプリントヘッド３２と、回転自在プラテン３４とを含み、これら部材は協動してプリントゾーン３６を画定する。カセット受けベイは蓋でカバーされる。カセット受けベイにはテーププリント装置の後部側からアクセスする。
サーマルプリントヘッド３２は、印刷要素のカラムを含む。サーマルプリントヘッド３２は、テープの最大幅部分にプリントするに一般に十分な高さを有する。サーマルプリントヘッド３２の幅は印刷要素の１つの幅と等しい。各印刷要素は別個に活性化され得、且つ被印刷画像に従い活性化される。画像は、各文字の幅がテープに沿って伸延し、又は各文字の高さが、所謂垂直プリントモードにおいてテープの長さ方向に沿って伸延する状態下に印刷され得る。
【００２７】
サーマルプリントヘッド３２はピボットポイント３８を中心としてピボット廻動自在であり、かくしてカセットをカセット受けベイに関して出し入れ可能となる。カセット受けベイ３０に挿通したカセットが全体を番号４０で示される。カセット４０は受像テープ４４のサプライスプール４２を保持する。受像テープ４４は図示しないガイド機構によりカセット４０に通され、出口４６を介してカセット４０を出、プリントゾーン３６を通過し、カット部４８に達する。
【００２８】
このカセット４０にはインクリボンサプライスプール５０と、インクテープ巻き取りスプール５２も収納される。インクリボン（以下、熱転写リボンとも称する）５４はインクリボンサプライスプール５０からガイドされてプリントゾーン３６を通過し、インクテープ巻き取りスプール５２に巻き取られる。かくして、受像テープ４４は、その受像層がインクリボン５４と接触する状態下にインクリボン５４と重なる状態でプリントゾーン３６を通過する。
【００２９】
カセット４０は、プリントヘッド３２を受ける凹所８０を有する。熱転写リボン５４をプリントゾーン３６を通してガイドするガイド部分をも設け得る（図示せず）。プリントヘッド３２は、プラテン３４と接触して熱転写リボン５４及び受像テープ４４をプリントヘッド３２とプラテン３４との間で重ねた状態で保持する動作位置と、プラテン３４から遠ざけられ、かくして熱転写リボン５４と受像テープ４４とを釈放する不作動位置との間を可動である。動作位置では、プラテン３４は、受像テープ４４をプリントヘッド３２を通して送るべく回転され、プリントヘッドは、インクリボン５４からのインクの熱転写により受像テープ４４上に画像をプリントするようにコントロールされる。
【００３０】
図２に略示するように、プラテンはモーター５８により駆動される。モーターは、回転すると印刷中は受像テープを連続的にプリントゾーン３６に通すように受像テープを駆動させる。ステップモータを使用してテープを段階的に駆動させることもできる。
プリントゾーン３６を出てカット部４８に向かうテープに画像を印刷する。カット部４８はカセット４０のプリントゾーン３６に近い壁の一部に位置付けられる。カセット４０の、カット部４８を配置した壁部分は番号６０で示される。カセットの壁部分６０には長孔６２が形成され、プリントゾーン３６を通過した受像テープ４４が、この長孔６２の各側部の対面部分で支持されるところのカット部４８に送られる。
【００３１】
カット用ブレード６６を含むカット機構６４が設けられる。受像テープ４４を切断したカット用ブレード６６は長孔６２に入り込む。
テーププリント装置コントロール用の基本回路が図２に示される。マイクロプロセッサチップ７０が、不揮発性メモリ７２と、マイクロプロセッサ７４と、ＲＡＭ７６として略示するランダムアクセスメモリＲＡＭ容量とを有する。マイクロプロセッサチップ７０は、キーボード６のようなデータ入力デバイスからのラベルデータ入力を受けるべく接続される。
【００３２】
マイクロプロセッサチップ７０は、ディスプレイドライバチップ７８を介してディスプレイ４にデータを出力し、ディスプレイに被印刷ラベル（又はその一部）及び又はその他の、例えばユーザーに対するメッセージを表示させる。あるいはディスプレイドライバはマイクロプロセッサチップの一部を構成し得る。更には、マイクロプロセッサチップ７０は、プリントヘッド３２にデータを出力し、受像テープ上にラベルデータを印刷させ、かくしてラベルを形成させる。最後に、マイクロプロセッサチップはプラテン３４を駆動させるモーター５８をもコントロールする。マイクロプロセッサチップは、ある長さのテープを切り離し得るようにカット機構６４をもコントロールし得る。
【００３３】
図４及び図５を参照するに、所謂“パッチパネルモード”が例示されている。パッチパネルは複数の異なるエリヤを備え、各エリヤで個別にラベルを作成できる。パッチパネルモードではユーザーは、ラベルの異なるエリヤ間の距離であるところのポート距離を設定するようになっている。実際はこの設定によりラベルの各個別エリヤのサイズを設定する。図４に例示する実施例では、ポート距離は約１．５２ｃｍ（０．６インチ）に選択されている。第２のユーザー選択事項はラベル作成用のポート又は個別のエリヤ数を選択することである。図４に示す例では３つのポート又は個別エリヤが画定されている。
【００３４】
図４に示すディスプレイでは情報エリヤ２００にはユーザーがパッチパネルモードを使用中であることが表示され、ポート距離も表示されている。情報エリヤ（以下、スクリーンとも称する）２００の下方エリヤにはラベルの個別エリヤの入力データに相当する、ラベルの３つのエリヤ２０２、２０４、２０６が示されている。表示されるエリヤのサイズは入力データ量次第のものであるが、印刷されるラベルの相当するエリヤのサイズはユーザーが設定するサイズ次第のものである。ユーザーはラベルの各エリヤ内に文字、データ、数、等を入力できる。ユーザーはカーソルキー８を使用してあるエリヤから別のエリヤに移動できる。
【００３５】
ライン２０８は、図４に例示するような３つのエリヤの各々における始端及び終端を示すために使用する。
図５に示すように、第１のラベルは３つのエリヤ２０２’、２０４’、２０６’を有し、各エリヤは、入力した画像を印刷したエリヤ２０２、２０４、２０６に対応する。各エリヤは、本発明の１実施例では印刷ライン２１０により分離される。別の実施例では印刷ラインが省略され、又は任意のその他の好適な標示物で代替され得る。
【００３６】
パッチパネルのような物品の正面側のみならず後面側にラベル付けしたい場合がある。従って、本発明の各実施例では、第２のラベル２１４を印刷する場所はパッチパネルの後面側に固定される。パッチパネルの後面側に貼り付けるラベルでは画像は、パッチパネルの後面部にラベルを貼り付けた時に同一ポートその他に同一のラベル表示情報が提供されるように再オーダーされる。かくして、前面及び後面の両方向から見た場合のように第１のポートがラベル付けされる。
【００３７】
本発明の１実施例において、パッチパネルモードでは第１のラベル２１２及び第２のラベル２１４は自動印刷される。本発明の他の実施例では、ユーザーに対し、逆のパッチパネルラベルの必要性を問うオプションが提供される。
本実施例はパッチパネルモード状況に従い説明されたが、本発明の各実施例を、単一のラベルが、物品の前後の各区面にラベル付けするために使用する複数のエリヤを持つ任意の用途で使用可能である。
【００３８】
テーププリント装置は、図１に示す記号キー２１６を有する。記号キーを操作すると図６に示すメニューが表示される。スクリーン２００の情報部分はデフォルト名の記号を有する。言い換えると、当該情報部分は、予め記憶した記号があることを表示する。そうした記号はアクセスを助成するべくカテゴリー別にグループ分けされる。図６に示すように３つのグループ、即ち、電気記号、声／データ記号、オーディオ／ビデオ記号が示される。然し乍ら、このリストを下方にスクロールすると別のオプションを入手できる。そうしたオプションの記号グループには、警告、句読点、カッコ、矢印、数、ＥＵ電気記号、通貨、の各記号の１つ以上が含まれ得る。これらの記号グループは例示目的のみのものである。本発明の各実施例は２つ以上の記号グループを有し得る。２つ以上のこれら記号グループは、上述した任意の記号グループから選択し得、又は当該記号グループ又は、テーププリント装置を使用する用途に依存し得るところの任意のその他の好適な記号グループに含まれ得る。
【００３９】
ユーザーはカーソルキーを使用して異なる記号グループ間をスクロールすることができる。ユーザーは“ＯＫ”キー２１８又は任意のその他の好適なエンター又はコンファメーションキーを操作することで、ハイライト表示させた特定グループを選択できる。図６に示す例では、電気グループの記号がハイライト表示されている。コンファメーションキー２１８を操作すると当該グループ内の記号が、例えば図７に示すように表示される。ユーザーはカーソルキーを用いて表示された各記号２２０間を移動できる。カーソルでハイライト表示させた特定の記号はサイズが大きくなる。例えば、図７では記号２２２がハイライト表示されてその他の記号よりもずっと大きく表示され、多数の記号を覆う。
【００４０】
本発明の各実施例において、カーソルを移動するに従い、ハイライト表示される記号が変わる。詳しくは、ユーザーはカーソルを移動して異なる記号の１つをハイライト表示させる。カーソルを特定の記号上に短い所定時間置くと当該記号がその他の記号よりも拡大され、当該その他の複数の記号を覆って表示される。更に所定時間カーソルを置いておくと表示された記号はその他の記号と同じサイズに戻る。ユーザーは、例えばコンファメーションキー２１８を用いて、ハイライト表示させた記号を選択することができる。
【００４１】
図４及び６及び図８〜図１３を参照するに、ディスプレイが情報エリヤ２００を持つように構成されている。情報エリヤ２００は第２エリヤ２２４の上方に配置される。特定モードを選択すると第２エリヤはユーザーの入力する文字を表示させるべく使用される。
【００４２】
図１２を参照するに、所謂“フラグモード”を選択した場合のディスプレイ状態が示される。情報エリヤ２００はユーザーにフラグモードが設定されていることを表示する。フラグモードではテープはケーブルに貼り付けるように構成される。ラベルの２つの端部が相互に積層され、ケーブル表面から外側に伸延する所謂フラグ（ｆｌａｇ）を構成する。フラグモードを選択すると、ユーザーにはフラグ長さを設定するオプションが与えられる。情報エリヤにはフラグのサイズが表示される。本実施例ではフラグサイズとして約８．８９ｃｍ（０．３５インチ）を設定した。
第２エリヤ２２４には入力文字その他又は当該フラグにおいて表示するべく選択した記号が表示される。
【００４３】
図４では情報エリヤ２００には、パッチモードが選択され、ポート又は隣り合うエリヤ間の距離が約１．５２ｃｍ（０．６インチ）であることが表示されている。表示エリヤ２２４には異なる各エリヤのための入力文字が示される。
ユーザーによる何らかのパラメータ入力を要求するその他のモードには、垂直ラップ（ｗｒａｐ）、パッチパネル、固定長さ、モジュールモード、Ｔブロックモード及び垂直モード、が含まれる。これらのキーは番号２３２で示される。
【００４４】
図１０を参照するに、情報エリヤには、ユーザーがバーコードモードを使用していること及び、選択したバーコードのタイプも表示されている。バーコードタイプの選択については以下に詳しく説明する。本実施例では、選択したバーコードはコード３９である。
第２エリヤには印刷されるバーコードがユーザーに対して表示される。下方の文字はバーコードとして表示される文字を表す。
【００４５】
かくして、情報エリヤ２００の１つの機能は、ユーザーに対してユーザーが使用中のモードを表示することであり、第２エリヤ２２４はラベルの、被印刷文字又はその他を表示する。
情報エリヤは、異なるタイプの情報を表示するためにも使用され得る。図８には警告の表示状態が示される。詳しくは、情報エリヤには警告状態が存在することが表示される。ディスプレイの第２部分には警告の意味が表示される。例えば、固定長さモードはキー２２６を押して選択する。このキーを一度押すと固定長さモードに入り、更に押すと固定長さモードが解除される。固定長さモードキーを２回押すと図８に示す警告表示が出る。例えば、ユーザーはラベルを編集する際に固定長さモードに設定していることを忘れることがある。従って、この警告はユーザーにこの固定長さモードキーをそれ以上押すと固定長さモードが解除されることを気付かせるために表示される。ディスプレイの第２部分には、作業継続のためにコンファメーションキー２１８を押すようにユーザーに要求する指示も含まれる。かくして、当該第２部分には、本来警告的な指示と、ラベルプリンタを利用し続けるための任意の随意的な指示とが含まれ得る。
【００４６】
以上は一例を示したものであるに過ぎず、情報エリヤ２００における警告方法には任意のその他の説明が含まれ得る。ラベルプリンタの利用を続けるための随意的指令が含まれ得る。
情報エリヤ２００にはプリンタの動作に関する情報も含まれ得る。例えば、図１１において、情報エリヤにはテープが印刷されていることが表示されているが、エラー又は問題が起きそうな場合は第２部分には更に別の情報が表示され得る。例えば、固定長さモードでは固定長さ内に納めるには文章が長すぎる場合、ユーザーには印刷作業を続けるかまたはキャンセルするかについてのオプションが与えられ、これらのオプションの実行方法が表示される。
【００４７】
情報エリヤ内に含まれるその他の警告／ヘルプメッセージ及び説明の例には、バーコードを例に挙げると以下のものがある。
【表１】
2010523367.tif 000003
【００４８】
図９を参照するに、情報エリヤ２００に選択したメニューが表示されている。図９に示す例ではバーコードメニューが選択されている。次いで、第２エリヤ２２４に、入手可能なバーコードタイプ、即ちメニューから選べるオプションが表示される。
図６を参照するに、情報エリヤには記号メニューが表示され、第２エリヤ２２４には、別のメニューオプション、つまり別の記号グループが表示されている。
【００４９】
本発明の１実施例において、メニュータイプは３種類、即ち、バーコードのタイプを選択できるバーコードメニュー、記号グループの１つを選択し、次いで選択した記号グループ内の個別の記号を選択できる記号メニュー、そしてライブラリメニュー、であり得る。ライブラリメニューでは、ユーザーはカテゴリーを選択する。各カテゴリーには文章のグループが含まれ、これらの文章の１つを選択できる。従って、各グループには位置、オーディオ／ビデオ、ボイスデータ、セキュリティ、マイライブラリ（ユーザーの選択した文章の）が含まれる。後者のオプションでは各文章のホットキーが情報エリヤ内に表示され得る。これらのモードを選択するキーが参照番号２３０で示される。
【００５０】
図１３を参照するに、ユーザーは文字キー２３４を押して設定メニューに入る。当該メニューのオプションの１つに文字サイズがあり、ユーザーは先に説明したように、カーソルキー及びコンファメーションキーを用いて文字サイズを選択する。情報エリヤ２００は、ユーザーに文字サイズの選択を指示するために使用される。ユーザーはエリヤ２２４に表示された文字サイズの１つを選択する。この操作は先に説明したようにして実行される。
【００５１】
要約すると、情報エリヤには、ユーザーが編集モード、即ち、ラベルにプリントさせる文字を入力するモードを使用中の場合はモードの種類、例えば、垂直ラップ、パッチパネルモード、フラグモード、固定長さモード、モジュールモード、Ｔブロックモード又は垂直モードが表示され、これらのモードの１つにおける任意のパラメータが選択された場合は当該パラメータも表示される。
【００５２】
情報エリヤは、警告と、ディスプレイの第２エリヤに含まれる当該警告に関する情報及び又はユーザーが取るべき行動を伴う警告を表示させるために使用され得る。
情報エリヤにはプリンタの現在状態、例えば、印刷中であってプリンタの現在の動作における何らかの問題又は関連情報が表示され得る。
【００５３】
情報エリヤは、ユーザーにラベル又は文字属性の設定時点を指示するために使用され得る。情報エリヤには、ラベルに挿入する又はラベルで使用するべきバーコード、記号又は文章についての情報が含まれ得る。
本発明の１実施例では、ユーザーは情報エリヤ２００の表示又は非表示を選択し得る。例えば、ユーザーは設定メニューを介して情報エリヤの表示非表示を選択できる。情報エリヤを表示させない場合、第２エリヤ２２４内には少なくとも１本のエキストララインが表示される。
【００５４】
他の実施例ではラベルプリンタは、ある状態が生じた場合、それに応答して当該状態を情報エリヤに自動表示するかを判断するように構成される。例えば、情報エリヤには、警告又はエラー状態が検出されるとその情報が自動表示され得る。
情報エリヤは、警告状態が生じた場合は表示され得るが、ラベル編集モードにおいて、ユーザーが当該警告状態をもはや適用しないように変更する又はユーザーが第２エリヤ２２４とインタラクトする場合には表示されない。
【００５５】
あるモードでは固定長さが設定される。例えば、固定長さモードにおいて、ユーザーはラベルの長さを入力する。固定長さモードの場合のディスプレイが図１４に例示される。ディスプレイの情報エリヤ２００には、モードが固定長さモードであることや、選択した長さが約２．５４ｃｍ（１インチ）であることが表示されている。固定長さ部分に収受され得る文字２３４と、設定したラベル長さに相当する印刷可能エリヤよりも外側にある文字２３６とが、ディスプレイの第２部分上で差別化されている。詳しくは、設定長さ範囲外の各文字の表示状態が異なっている。この差別化は、背景色を別にする、背景及び文字色を逆にする、フォントを変える、画像を点滅させる、又は、印刷可能エリヤ内に収受できる文字とできない文字とをユーザーが見分けられるような任意のその他の方法で実施できる。かくして、ユーザーには、全ての文字が固定長さ部分内に収受され得ないこと及び、どの文字が固定長さ部分に収まらないのかが分かる。
【００５６】
この点について図４を参照するに、他のモードであるパッチパネルモードでは、ラベルエリヤに固定長さのラベルの全領域が強調表示される。ラベルの外側のエリヤ２３８はラベル２０２、２０４、２０６の内側のエリヤとは差別化して表示される。ラベル端部と、ラベルの外側のエリヤ２３８との間にはライン２４０が表示される。
図１６を参照するに、３つのエリヤの内のエリヤ２０２、２０４が示されている。第１エリヤ内に収受され得ない文字が入力されており、従って、当該エリヤ内のそれらの文字は図１４の実施例におけるように別の背景色を用いて表示されている。
【００５７】
背景は任意の特定方法を使用して変化させ得る。例えば図４のライン２４０のようなラベル端部を画定するラインを、ユーザーが入力する追加の文字に沿って移動させ得る。背景色を、ユーザーが設定長さに収受されない文字を更に入力した場合にのみ変化するように出来る。
【００５８】
図１５を参照するに、情報エリヤ２００にはユーザーが一般入力モードを使用中であることが表示されている。ユーザーの取り扱うラベルはディスプレイに表示しきれない大きさのものであるのでスクロールバー２４２及び２４４が表示されている。スクロールバー２４４は、図で左側から右側方向にかけての部分を受像テープ長さに一般に相当するものとする場合の、表示されるラベル部分を示す。スクロールバー２４４は、ラベルの上部から底部までのラベル部分を表示する。一般に、当該表示部分は受像テープの幅方向部分に相当する。ユーザーは表示画像内でカーソルを移動させることで、表示されるラベル部分を変化させることができる。表示されるラベル部分が変化するに従い、スクロールバーの図で左から右方向及び又は上下の各位置が変化する。
【００５９】
先行する各図に示されるように、図１７には第３のエリヤが非常に明瞭に示されている。かくして、情報エリヤ２００及び第２エリヤに加え、第３のエリヤは所謂属性エリヤ２４８となる。属性エリヤ２４８は他の２つのエリヤを含むディスプレイと同じ部分にあるが属性情報専用のものである。当該エリヤには以下の情報、即ち、バッテリーインジケータ２５０が表示される。バッテリーインジケータには、バッテリーの充電状況が表示され、充電されている場合はその量が表示される。ラベルプリンタがリチャージャブルバッテリーを格納する場合はバッテリーインジケータ２５０には再充電中であることが表示される。
【００６０】
ラベル及びフォント属性を表示するエリヤがあり、インジケータ２５４にはフォントが太字であるか否かが表示され、他方のインジケータ２５６にはイタリック体が選択されたか否かが表示される。
他のインジケータ２５８にはフレームが選択されたか否かが表示され、インジケータ２６０には大文字固定入力キーのオンオフ状態が表示される。色々の異なるサイズが設定され、設定したサイズが表示される。あるいは、自動サイジングモードの場合は文字サイズが自動選択される。
【００６１】
インジケータ２６４は、ラベルが１つ以上である場合の各モード、例えば、以下に説明する、ユーザーが１つ以上のラベルを入力するシリアル化モードで使用する。第２位置２６６にはラベルの合計数が表示される。第１位置２６４にはカーソルの位置、即ち、カーソルをおいたラベルの位置が表示される。従って、“２／３”と表示される場合は、ラベルが３つであり、カーソルが第２のラベル上に置かれていることになる。
【００６２】
位置インジケータ２７０が設けられる。位置インジケータは、例えば１つのラベル内に複数の位置が設定されるパッチパネルモードのために設けられる。第２番号２７２は位置の番号を表示し、第１番号２７４がカーソル位置を表示する。例えば、図４に示す構成では位置は２／３と表示される。この表示は、ラベルに３つのエリヤ（位置）があり、カーソルが第２エリヤ、即ちエリヤ２０４上にあることを意味する。
【００６３】
最後に、属性エリヤには警告表示部２７６が含まれる。この表示部の点灯はエラー発生を意味する。例えば、固定長さモードで固定長さを超える文字があると警告表示部２７６が点灯する。警告表示の隣にはエラー状況の数を示す数字表示部２７８が配置される。従って、２つのエラーがあるときは数字２が表示される。例えば図１４を参照するに、警告表示部が点灯され、エラー数は１と表示されている。
【００６４】
属性エリヤに含まれる情報は例示的なものであり、ここで議論する任意の１つ以上の属性を省略可能である。本発明の他の実施例では、属性情報にはここで説明した情報の幾つかまたは全てに対する追加情報又は別の情報としてのその他情報が含まれ得る。
【００６５】
ユーザーは、例えば番号２８２で示す文字Ａ１を含むラベルを入力する。ラベルをシリアル化したい場合はシリアル化キー２８４を押す。次いで、文字Ａ又は数１のどちらをシリアル化したいかを入力し、増分ステップのサイズを入力し、最後にステップ数を入力する。図１８に例示する実施例ではステップサイズは１でありステップ数は３である。次いで、テーププリント装置を３つのラベルＡ１、Ａ２、Ａ３を自動生成するように構成する。図示されるように、３つの各ラベルの各々の選択した文字が数１だけ夫々増分されている。所望であれば、再度シリアル化モードに入り、数に加えて最初の文字Ａもシリアル化することができる。
【００６６】
本発明の各実施例は３つのシリアル化モードを有し得る。第１のシリアル化モードは、単一の文字がシリアル化される、以下に説明するような単純シリアル化モードである。
同時シリアル化モードは上述した単純シリアル化モードと類似しているが、全ての文字を同時にシリアル化できる。
最後に、高度シリアル化モードがある。本モードではユーザーは２つの個別の変数を含み得るシリアル化を創出できる。高度シリアル化モードを選択した場合、各変数に対するカウンターを設定する必要がある。次いで、編集バッファ内の、シリアル化する必要のある文字を選択する必要がある。
【００６７】
ａＢ１を入力した場合の高度シリアル化モードの一例を以下に説明する。
高度シリアル化モードは任意の好適な方法で選択される。
シリアル化するべき文字及び数字を先ず選択する。本例では選択数字は１とし、ステップサイズは３、ステップ数は４とした。
シリアル化するべき第２の文字はａであり、ステップサイズは５、ステップ数は２とした。
この例では、第１の選択によるａＢ１、ａＢ４、ａＢ７、ａＢ１０の４つのラベルが形成され、その後、第２の選択によるｆＢ１、ｆＢ４、ｆＢ７、ｆＢ１０の４つのラベルが形成された。この結果を表に示すと以下の通りである。
【００６８】
【表２】
2010523367.tif 000004
【００６９】
仮に第２の選択におけるシリアリゼーションの数が３であると以下のように１２に分けて表示される。
【表３】
2010523367.tif 000005
【００７０】
このように、形成されたシリアル化された各ラベルがディスプレイ上に表示され得る。ディスプレイ上に表示しきれないラベルがある場合、ユーザーはカーソルキーを使用してラベルをスクロールし得、ラベルインジケータ２６４が、カーソルを置いたラベルが一連のラベルのどのラベルであるかの情報を表示する。
【００７１】
シリアル化するべき文字は、カーソルコントロールキーを選択した文字上で動かすことにより簡単に選択できる。ついでコンファメーションキー２１８を押す。ある実施例ではカーソルはシリアル化を実行すると文字の周囲で矩形に変化する。これにより、ユーザーは所望の文字を簡単に選択できるようになる。
【００７２】
多数のラベルを有する各モードであって実際には通常モードでは、ディスプレイに表示する文字を最大化するために、画像の前後の前縁部及び後縁部は表示されない。ディスプレイには、特定の色又は模様の各エリヤ（例えばエリヤ２３８）で各ラベルの始端及び終端、及びラベルの、非印刷エリヤ（前縁部及び後縁部を含む）を除く有効入力エリヤが示される。これにより、ユーザーに対し、ＷＹＳＩＷＹＧ（「Ｗｈａｔ  Ｙｏｕ  Ｓｅｅ  Ｉｓ  Ｗｈａｔ  Ｙｏｕ  Ｇｅｔ」の頭文字。画面上で見えているものがそのままプリントなどの出力で得られること。）ディスプレイ又はプリントプレビューオプションを要することなく、狭いディスプレイ上で最大情報量を表示できる。
【００７３】
文字サイズを選択できるようにするサイズキー２９０がキーボードに設けられる。このキーを押す毎に次のサイズの文字が選択される。従って、特定の文字サイズを選択するには、ユーザーは所望サイズに対するサイクルで当該キーを押せばよい。現在選択している文字サイズは属性エリヤに表示される。
【００７４】
サイズキーを押して次のサイズを選択する毎に、プリンタのコントローラがデータを再計算する。固定長さモードを持つ各モードに対しては、ラベルに関して設定した文字サイズの影響が表示される。例えば、文字サイズが大きくなるに従い、入力する文字がラベルの所定エリヤ又はラベル内にもはや収まらない大きさとなる。この状況はディスプレイ内に反映され、ディスプレイは例えば図１４又は図１６に示すような状況となる。かくして、ユーザーは文字サイズ選択時のラベルへの影響を知ることができる。
【００７５】
本発明の好ましい実施例では、表示される実際の文字サイズは変化しないが、文字変化に関してラベルの境界部分又は仕切の位置が変化する。
本発明の各実施例は、ディスプレイ４がユーザーによるキーボードを介しての入力に応じて各図に示した画像を表示するべくマイクロプロセッサによりコントロールされるような構成とされ得る。
【００７６】
本発明の好ましい実施例において、ディスプレイの異なる各エリヤは共通ディスプレイ内に画定される。あるいは本発明の各実施例において、それらの各エリヤは２つ又は３つの別個の各エリヤにより画定され得る。
本発明の更に他の実施例を図１８〜図２２を参照して以下に説明する。図１８を参照するに、複数のラベルを印刷する水平モードが示される。水平モードでは、各ラベルは水平に配列される。言い換えると、連続するラベルは、順次するラベルの長さに沿って伸延する。各ラベルは、ラベルの長さ方向に平行な方向で文字が読める方向を順方向とする。図２１には第１のラベル２８２と第２のラベル２８２とが例示される。テープの長さはＬ、幅はＷで表わす。一方のラベル２８２はテープの長さ方向に沿って他方のラベル２８２に隣り合って配置する。
図１８には相当する表示状況が示される。各ラベル２８２はディスプレイ上では仕切２８３で仕切られた状態で示され得る。仕切２８３は、一方のラベルが終端し、次のラベルが開始されることを表示する任意の好適なフォームを取り得る。
【００７７】
図１９には垂直モード時の表示状況が示される。垂直モードでは、ラベル状の文字は図２２に示されるように配向される。図２２については以下にもっと詳しく説明する。ラベルは、テープの幅と平行な方向で文字が読めるような方向を順方向とする。図１９に示す構成では２つのラベルが示され、各ラベルが３つの部分を有し、ディスプレイには一方のラベルの各部分が示される。ディスプレイには、第１のラベルの２つの部分が示される。ディスプレイ上の部分２８５及び２８７が、第１のラベルの２つの部分を示す。これらの各部分はサーマルブロックラベルの異なる各ブロックを示している。各部分は１本のライン２８８によりしきられる。また、ラベルの終端部を表示するための仕切２８９を設け得る。仕切２８９は、ハッチングライン又は任意のその他の、ラベル端部を表示する好適なマーキングで構成され得る。仕切２８９は、同じラベルの各部分を分離するライン２８８と識別可能であることが好ましい。
【００７８】
図２０には垂直モードにおける２つのラベルが表示され、ディスプレイには２つのラベルの各部分が表示されている。第１のラベルは番号２９５で示され、第２のラベルが番号２９１で示される。
図１９は第１のラベルの第２部分及び第３部分を印刷する状況であり、図２０では当該第３部分は第１のラベル２９５の一部として示されている。図１９ではカーソルは２つのラベルの内の第１のラベルの上で且つ、ディスプレイの右側に“ラベル１／２”及び“位置３／３”と表示されるように、３つのラインの３番目のライン上に表示されている。図２０ではカーソルは２つラベルの内の第２のラベル上で且つ、ディスプレイの右側に“ラベル２／２”及び“位置１／３”と表示されるように、３つのラインの最初のライン上に表示されている。
【００７９】
図２２を参照するに、２つのラベル２９５及び２９１が示され、文字がラベルの幅方向と平行方向に伸延している。言い換えると、ラベルの文字を読むには図２１に示すそれと比較してテープ方向を変更する必要がある。要するに、水平モードでは文字はラベルの長さ方向に沿った方向を順方向としているのに対し、図２２では文字はテープの幅方向を横断する方向を順方向としている。更に他の又は別の垂直モードでは、文字は図２２に示すように配向されるが１つの文字は他の文字の下方に表示される。この状況は、図１９及び図２０に関連して例示した垂直モードに従い表示され得る。
【００８０】
図１８〜図２０を比較すれば分かるように、ラベルが水平モードにある場合は各ラベルを分ける仕切がディスプレイ上で垂直方向に示される。言い換えると、仮にカーソルを一方のラベルから他のラベルに移動させる場合はユーザーは左右方向キーを使用する。垂直モードでは２つのラベルを分ける仕切はディスプレイの水平方向に表示され、従ってユーザーはカーソルをあるラベルから別のラベルに移動させる際に上下方向キーを使用する。
【００８１】
ディスプレイは、当該ディスプレイに基づいてユーザーが動作モードを容易に且つ素早く判別し得るようなものである。更には、ユーザーはあるラベルの終了位置及び次のラベルの始端位置を容易に知ることができる。
例示した実施例では、各ラベル間の仕切はハッチングラインとして説明したが、仕切は任意のその他の好適な方法で表示させ得る。
【００８２】
図１８〜図２２は、隣り合う電機部品用の所謂ターミナルブロックモードに特に適しているが、本発明の各実施例は、一連の所謂水平又は垂直ラベルを生成する任意のその他方法に等しく適用し得るものとする。各ラベルは、プリンタによる出力化に印刷された場合、完全に分離され得、部分的に分離され得、あるいは分離されない。
【００８３】
図２３ａ及び図２３ｂを参照するに、本発明の更に他の実施例が示される。ディスプレイは、ユーザーがラベルを入力するに従い、幅方向及び長さ方向の少なくとも一方において、ラベルの境界部分を表す少なくとも１つのピクセルラインを表示するようにコントロールされる。これにより、ユーザーがラベルを生成する場合に、表示部分がラベルの境界位置であるか否かを瞬時に見分け得る利益が生じる。
【００８４】
図２３ａに示すように、図示されるピクセルライン３０２はラベルの終端を表し、図２３ｂではピクセルライン３０２はラベルの始端を表している。幾つかの実施例において、仮にラベルが比較的短い場合、終端及び始端のピクセルラインが共に表示される。或る実施例では、ラベルの長さに応じて、始端又は終端のピクセルラインの何れも表示されない。かくして、図２３ａではラベルの終端が表示され、図２３ｂではラベルの始端が表示される。
【００８５】
図２３ａ及び２３ｂに示すように、ラベルの上縁及び底縁を表すピクセルラインも表示される。それらラインは番号３０４及び３０６で表される。図では上縁及び底縁は共に示されているが、多数のラベルの場合、底縁及び上縁は表示するラベルの位置に応じて一方のみが表示されあるいは何れも表示されない。表示するラベルの部分はカーソル位置によって決定され得る。
【００８６】
かくして、長手方向において、ラベルが表示し得るよりも長い場合はユーザーはラベルの始端と終端とを同時に見ることはできず、その何れをも見ることが出来ない場合さえある。始端及び終端の各位置にピクセルラインを有する特徴により、ラベルをスクロールさせればカーソルがラベルのどの位置にあるのかが分かる。ユーザーは当該特徴により、ラベルの始端及び又は終端が表示されているか否かを知ることが出来る。またユーザーは、カーソル位置がラベルの上部又は底部の何れに近いかをも知ることが出来る。
【００８７】
ピクセルラインは任意のその他の好適な表示又はマーキングによって代替させ得る。或る実施例ではマーキングがラベルの始端及び終端位置にのみ表示され、又はラベルの上縁及び底縁にのみ表示される。
本発明の各実施例は、カセットがインクリボン及び受像テープを収納する構成状況に関して説明したが、本発明の他の実施例ではダイレクトサーマルマテリアルと共に使用され得る。これは、インクリボンの必要性を省略し得ることを意味する。本発明の更に他の実施例では、２つのカセットを使用するシステムが使用され得、インクリボンが一方のカセット内に収受され、受像テープが他方のカセット内に収受される。
【００８８】
更に他の実施例では、受像テープがカセットを用いずにロール上に単に配置され得る。
本発明の好ましい各実施例を連続する受像テープを使用する状況下において説明したが、本発明の他の実施例は、連続する裏当て層に被着させた個別のラベルであるカットラベルと共に使用できる。
【００８９】
本発明の他の実施例では、印刷した画像を保護する更に別の積層用テープを使用できる。積層に関しては数多くの異なる技法が知られている。
本発明の各実施例は手持ち式のテーププリント装置であることが好ましいが、本発明の他の実施例はＰＣに連結した較正とすることができる。本発明の幾つかの実施例はスタンドアロン型プリンタとして、あるいはまた、ＰＣ接続型デバイスとしての何れにおいても使用され得る。
【００９０】
本発明の１つ以上の実施例は、少なくとも部分的にはソフトウェアにより実現又は開始され得る。従って、各実施例は１つ以上のコンピュータープログラムにより少なくとも部分的に開始され得る。コンピュータープログラムは、コンピュータープログラム実装メディア上で提供され得、又は好適なソースからダウンロードされ得る。
テーププリント装置をＰＣ接続型デバイスとしてのみ使用する場合、キーボードは少なくとも部分的に又は完全に省略され得る。同様に、ディスプレイを少なくとも部分的に又は完全に省略できる。
以上、本発明を実施例を参照して説明したが、本発明の内で種々の変更をなし得ることを理解されたい。
【符号の説明】
【００９１】
２  テーププリント装置
４  ディスプレイ
６  キーボード
８  カーソルコントロールキー
１０  キー
１２  キー
１４  機能キー
３０  点線
３２  サーマルプリントヘッド
３４  回転自在プラテン
３６  プリントゾーン
３８  ピボットポイント
３９  コード
４０  カセット
４２  サプライスプール
４４  受像テープ
４６  出口
４８  カット部
５０  インクリボンサプライスプール
５２  スプール
５４  熱転写リボン
５８  モーター
６０  壁部分
６２  長孔
６４  カット機構
６６  カット用ブレード
７０  マイクロプロセッサチップ
７２  不揮発性メモリ
７４  マイクロプロセッサ
７８  ディスプレイドライバチップ
８０  凹所
２００  情報エリヤ
２０８  ライン
２１０  印刷ライン
２１２、２１４  ラベル
２１６  記号キー
２１８  “ＯＫ”キー
２１８  コンファメーションキー
２２２  記号
２２４  第２エリヤ
２３４、２３６  文字
２４２、２４４  スクロールバー
２４８  属性エリヤ
２５０  バッテリーインジケータ
２５８、２６０、２６４  インジケータ
２７０  位置インジケータ
２７６  警告表示部
２７８  数字表示部
２８４  シリアル化キー
２９０  サイズキー
２８３、２８９  仕切
３０２  ピクセルライン
【図１】
2010523367.tif 000006
【図２】
2010523367.tif 000007
【図３】
2010523367.tif 000008
【図４】
2010523367.tif 000009
【図５】
2010523367.tif 000010
【図６】
2010523367.tif 000011
【図７】
2010523367.tif 000012
【図８】
2010523367.tif 000013
【図９】
2010523367.tif 000014
【図１０】
2010523367.tif 000015
【図１１】
2010523367.tif 000016
【図１２】
2010523367.tif 000017
【図１３】
2010523367.tif 000018
【図１４】
2010523367.tif 000019
【図１５】
2010523367.tif 000020
【図１６】
2010523367.tif 000021
【図１７】
2010523367.tif 000022
【図１８】
2010523367.tif 000023
【図１９】
2010523367.tif 000024
【図２０】
2010523367.tif 000025
【図２１】
2010523367.tif 000026
【図２２】
2010523367.tif 000027
【図２３ａ】
2010523367.tif 000028
【図２３ｂ】
2010523367.tif 000029
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
テーププリント装置であって、
入力手段と、
ディスプレイと、
入力手段の受けた入力に応じてディスプレイをコントロールする構成としたプロセッサと、
を含み、
入力手段が、ユーザーが所定長さのラベルを設定し得るように構成され、
プロセッサが、画像が前記所定長さに収受され得るかを判断すると共に、所定長さ部分に収受され得ない画像部分を当該所定長さ部分に収受され得る画像部分とは別の方法でディスプレイに表示させるテーププリント装置。
【請求項２】
所定長さ部分に収受され得ない画像部分をディスプレイに表示させる別の方法が、異なる背景色、逆の背景色、異なるフォント又はフラッシュ画像、の少なくとも１つを含む請求項１のテーププリント装置。
【請求項３】
ディスプレイが所定長さを表示するように構成される請求項１又は２のテーププリント装置。
【請求項４】
所定長さ部分に収受され得ない部分がある場合、ユーザーには印刷の継続又はキャンセルのオプションが与えられる請求項１〜３の何れかのテーププリント装置。
【請求項５】
テーププリント装置がパッチパネルモードを有し、該パッチパネルモードではラベルの外側エリヤがラベル内の各エリヤとは異なる外観で表示される請求項１〜４の何れかのテーププリント装置。
【請求項６】
ラベルの端部とラベルの外側エリヤとの間にラインが表示される請求項５のテーププリント装置。
【請求項７】
ユーザーが、ディスプレイ上に表示するには大きすぎるラベルを入力すると、ユーザーが画像の周囲をスクロールできるようにするスクロールバーがディスプレイ上に提供される請求項１〜６の何れかのテーププリント装置。
【請求項８】
第１のスクロールバーが、画像の水平方向表示部分を表示させ、第２スクロールバーが、画像の垂直方向表示部分を表示させる請求項７のテーププリント装置。
【請求項９】
ユーザーがディスプレイ内を移動させ得るカーソルが表示される請求項１〜８の何れかのテーププリント装置。
【請求項１０】
ディスプレイが、ユーザーのラベル作製を支援する文字情報を提供するエリヤと、属性情報を表示する別のエリヤとを更に含む請求項１〜９の何れかのテーププリント装置。
【請求項１１】
所定長さを有するラベルを設定する入力を受けること、
所定長さに画像が収受され得るかを判定すること、
ディスプレイをして、所定長さ部分に収受され得ない画像部分を当該所定長さ部分に収受され得る画像部分とは別の方法で表示せしめること、
を含む方法。
【請求項１２】
所定長さ部分に収受され得ない画像部分をディスプレイに表示させる別の方法が、異なる背景色、逆の背景色、異なるフォント又はフラッシュ画像、の少なくとも１つを含む請求項１１の方法。
【請求項１３】
ディスプレイに所定長さ部分を表示することを含む請求項１１又は１２の方法。
【請求項１４】
所定長さ部分に収受され得ない部分がある場合、ユーザーに印刷の継続又はキャンセルのオプションを与えることを更に含む請求項１１〜１３の何れかの方法。
【請求項１５】
テーププリント装置であって、
ディスプレイと、
エラー状況の数を判定し、エラー状況の合計計数値が表示されるようにディスプレイをコントロールするプロセッサと、
を含むテーププリント装置。
【請求項１６】
プロセッサが、警告インジケータが表示されるようにディスプレイをコントロールする請求項１５のテーププリント装置。
【請求項１７】
警告インジケータがエラー状況の合計計数値に隣り合って位置決めされる請求項１６のテーププリント装置。
【請求項１８】
警告インジケータ及びエラー状況合計計数値がディスプレイの専用の属性エリヤ内に含まれる請求項１６又は１７のテーププリント装置。
【請求項１９】
テーププリント装置構成内のエラー状況の数を判定すること、
エラー条件の合計計数値を表示させるようにディスプレイをコントロールすること、
を含む方法。
【請求項２０】
ディスプレイに警告インジケータを表示させることを更に含む請求項１９の方法。
【請求項２１】
警告インジケータをエラー状況の合計計数値に隣り合って表示させることを更に含む請求項２０の方法。
【請求項２２】
ディスプレイの専用の属性エリヤ内に警告インジケータ及びエラー状況合計計数値を含むようにすることを更に含む請求項２０又は２１の方法。
【請求項２３】
テーププリント装置であって、
ディスプレイと、
プロセッサと、
を含み、
プロセッサが、第１のラベルの少なくとも一部分と、第２のラベルの少なくとも一部分とを表示するように構成され、印刷に際して前記第１及び第２の各ラベルが、任意の文字の高さ部分がテープの長さ方向に沿って伸延する状態でテープに印刷されるようにしてテープに対して垂直に配向され、前記プロセッサが、間に仕切を入れた状態で一方のラベルを他方のラベルの上方に表示させるようにディスプレイをコントロールするテーププリント装置。
【請求項２４】
プロセッサが、ディスプレイを水平方向に横断して仕切が表示されるようにディスプレイをコントロール構成とされる請求項２３のテーププリント装置。
【請求項２５】
仕切がハッチングラインを含む請求項２３又は２４のテーププリント装置。
【請求項２６】
第１のラベル及び第２のラベルの少なくとも一方が、追加の仕切により分離された複数の部材を含む請求項２３〜２５の何れかのテーププリント装置。
【請求項２７】
追加の仕切が仕切から識別される請求項２６のテーププリント装置。
【請求項２８】
プロセッサが作動上の第２のモードを有し、該第２のモードにおいて該プロセッサが、第３のラベルの少なくとも一部分及び第４のラベルの少なくとも一部分を表示させるようにディスプレイをコントロールする構成とされ、前記第３及び第４の各ラベルがテープに関して水平方向に配向され、プロセッサが、第３のラベルを第４のラベルに隣り合い且つ当該第３及び第４の各ラベルの間部分に仕切が配置される状態下に表示されるように構成される請求項２３〜２７の何れかのテーププリント装置。
【請求項２９】
プロセッサの作動上の第２のモードにおいて、仕切がディスプレイを垂直方向に横断する方向に伸延される請求項２８のテーププリント装置。
【請求項３０】
第１のラベルの少なくとも一部分と、第２のラベルの少なくとも一部分とを表示させるようにディスプレイをコントロールすること、
を含み、
印刷に際して第１のラベル及び第２のラベルが、任意の文字の高さ部分がテープの長さ方向に沿って伸延する状態で印刷されるようにしてテープに対して垂直に配向され、間に仕切を入れた状態で一方のラベルを他方のラベルの上方に表示させるようにディスプレイをコントロールすることを含む方法。
【請求項３１】
仕切がディスプレイの水平方向に横断する状態で表示されるようにディスプレイをコントロールすることを含む請求項３０の方法。
【請求項３２】
仕切がハッチングラインを含む請求項３０又は３１の方法。
【請求項３３】
第１のラベル及び第２のラベルの少なくとも一方が、追加の仕切により分離された複数の部材を含む請求項３０〜３２の何れかの方法。
【請求項３４】
追加の仕切が仕切から識別される請求項３３の方法。
【請求項３５】
作動上の第２のモードを含み、当該第２のモードにおいて、ディスプレイが、第３のラベルの少なくとも一部分と、第４のラベルの少なくとも一部分とを表示するようにコントロールされ、第３及び第４の各ラベルがテープに関して水平方向に配向され、該方法が、第３のラベルを第４のラベルに隣り合い且つそれらの間部分に仕切が配置される状態で表示されるようにディスプレイをコントロールすることを含む請求項第３０〜３４の何れかの方法。
【請求項３６】
作動上の第２のモードにおいて、仕切がディスプレイの垂直方向を横断する方向に伸延される請求項３５の方法。
【請求項３７】
請求項１１〜１４、１９〜２２、又は３０〜３６、の何れかに記載の各ステップの１つ以上を実行するように構成したコンピュータープログラム。
【請求項３８】
請求項１１〜１４、１９〜２２、又は３０〜３６、の何れかに記載の各ステップの１つ以上を実行するように構成したコンピュータープログラムを含むコンピュータープログラム製品。
【国際調査報告】
2010523367.tif 000030
2010523367.tif 000031
2010523367.tif 000032
2010523367.tif 000033
2010523367.tif 000034
2010523367.tif 000035
2010523367.tif 000036
2010523367.tif 000037
2010523367.tif 000038